(57)【要約】【課題】  銀行の口座を利用した取引の記録を容易に更新できるようにする。【解決手段】  ＩＣカード１０の認証情報記録部１２に利用者のＩＤおよびパスワードを記録しておく。しかも、ＩＣカード１０には、ステートメント記録部１４を実装し、口座における取引の履歴を記録する。そして、認証情報記録部１２からＡＴＭ２０を介して利用者のＩＤを利用者が入力したパスワードと共に口座管理システム４０に送り、認証部４６にて認証する。ここで、正当な利用者からのアクセスである旨が認証部４６にて判明すれば、利用者はＡＴＭ２０を利用して口座に関する取引を行う。取引が終了すれば、送信部４９が総勘定元帳記録部４８から取引情報を読み出して、ＡＴＭ２０に送り、ＩＣカード書込部２６が取引情報をステートメント記録部１４に書き込む。これにより、口座に関する取引を行えば、取引情報の記録も行うことができるので、取引の記録を容易に更新できる。【選択図】  図２
2004220563.tif 000002
【特許請求の範囲】
【請求項１】
利用者の認証情報を受けて認証を行う認証手段と、前記認証が成立した場合に前記利用者の口座に関する取引情報を送信する送信手段とを有する口座管理システムから前記取引情報を取得するための取引情報取得器であって、
前記認証手段に送るための前記認証情報を記録する認証情報記録手段と、
前記送信手段から送信されてきた前記取引情報を記録する第一取引情報記録手段と、
を備えた取引情報取得器。
【請求項２】
請求項１に記載の取引情報取得器であって、
前記口座管理システムは、
前記利用者の口座に関する取引情報を記録する第二取引情報記録手段と、
前記認証が成立した場合に前記第二取引情報記録手段に記録された前記取引情報を更新する取引情報更新手段とを有している、
取引情報取得器。
【請求項３】
請求項１または２に記載の取引情報取得器であって、
前記認証情報記録手段および前記第一取引情報記録手段は、ＩＣにより実装される、
取引情報取得器。
【請求項４】
請求項３に記載の取引情報取得器であって、
前記認証情報記録手段および前記第一取引情報記録手段は、前記ＩＣにおける接触メモリまたは非接触メモリにより実装される、
取引情報取得器。
【発明の詳細な説明】
【技術分野】
【０００１】
本発明は、銀行等の金融機関の口座における取引情報の記録および表示に関する。
【背景技術】
【０００２】
従来より、ユーザが銀行等の金融機関に口座を設けて取引を行うことが広くみられる。取引は、例えば、資金を自らの口座に入金する、資金を自らの口座から出金する、資金を他人の口座に振り込む、などがある。このような取引を、現金自動預け払い機（ＡＴＭ：Automatic Teller Machine）により行うこともまた、従来より広く行われている。ＡＴＭを利用する際に、ユーザは、キャッシュカードをＡＴＭに挿入して、暗証番号を入力する。これにより、本人確認が行われる。また、取引の履歴を記録するために、ユーザは通帳を所有している。ＡＴＭを利用して取引を行う際に、通帳もＡＴＭに挿入しておけば、通帳に取引の履歴が印刷される。
【０００３】
なお、出願人は、通帳およびキャッシュカードを挿入してＡＴＭを利用することが広く行われていることは知っている。しかし、このようなことを記載した特許文献等の存在を知らない。
【発明の開示】
【発明が解決しようとする課題】
【０００４】
しかしながら、上記のような方法によれば、キャッシュカード（本人確認のための器具）と通帳（取引の履歴を印刷するための器具）とが別々である。このため、双方を携帯するのは面倒である。通帳はキャッシュカードに比べて大きく厚い。よって、ユーザはキャッシュカードを携帯しても、通帳を携帯することは少ない。したがって、ユーザはキャッシュカードを利用して取引を行っても、通帳に取引の履歴を記録する機会は少ない。すなわち、ユーザにとって、取引の履歴の記録を更新が行いにくいようになっている。
【０００５】
そこで、本発明は、銀行等の金融機関に口座を利用した取引の記録を容易に更新できるようにすることを課題とする。
【課題を解決するための手段】
【０００６】
請求項１に記載の発明は、利用者の認証情報を受けて認証を行う認証手段と、認証が成立した場合に利用者の口座に関する取引情報を送信する送信手段とを有する口座管理システムから取引情報を取得するための取引情報取得器であって、認証手段に送るための認証情報を記録する認証情報記録手段と、送信手段から送信されてきた取引情報を記録する第一取引情報記録手段とを備えるように構成される。
【０００７】
上記のように構成された取引情報取得器によれば、認証情報記録手段および第一取引情報記録手段が共に実装されているため、取引情報取得器を携帯すれば、認証のみならず取引情報の記録をも行うことができる。
【０００８】
請求項２に記載の発明は、請求項１に記載の発明であって、口座管理システムは、利用者の口座に関する取引情報を記録する第二取引情報記録手段と、認証が成立した場合に第二取引情報記録手段に記録された取引情報を更新する取引情報更新手段とを有しているように構成される。
【０００９】
上記のように構成された取引情報取得器によれば、認証が成立すると、口座管理システム側における取引情報更新手段による取引情報の更新、すなわち取引そのものを行うことができる。よって、取引を行えば、取引情報取得器に取引情報の記録を行うことができる。
【００１０】
請求項３に記載の発明は、請求項１または２に記載の発明であって、認証情報記録手段および第一取引情報記録手段は、ＩＣにより実装されるように構成される。
【００１１】
上記のように構成された取引情報取得器によれば、ＩＣは磁気テープ等に比べて記憶容量が大きいため、認証情報記録手段および第一取引情報記録手段が、より多くの情報を記録できる。
【００１２】
請求項４に記載の発明は、請求項３に記載の発明であって、認証情報記録手段および第一取引情報記録手段は、ＩＣにおける接触メモリまたは非接触メモリにより実装されるように構成される。
【発明を実施するための最良の形態】
【００１３】
以下、本発明の実施の形態を図面を参照して説明する。
【００１４】
図１は、本発明の実施の形態にかかるＩＣカード（取引情報取得器）１０を使用するシステムの概略を示した図である。ＡＴＭ（自動預け払い機：Automatic Teller Machine）２０は基幹ネットワーク３０を介して口座管理システム４０に接続されている。ＩＣカード１０はＡＴＭ２０に接触させて使用する。これにより、ＩＣカード１０の利用者は、利用者が金融機関に設けた口座について、取引を行うことができる。例えば、口座から資金を引き出したり、口座に資金を預けたりすることができる。
【００１５】
図２は、本発明の実施の形態にかかるＩＣカード（取引情報取得器）１０を使用するシステムの構成を示す機能ブロック図である。本システムは、ＩＣカード１０、ＡＴＭ２０、基幹ネットワーク３０、口座管理システム４０を備える。
【００１６】
ＩＣカード（取引情報取得器）１０は、認証情報記録部１２、ステートメント記録部（第一取引情報記録手段）１４を有する。ＩＣカード１０は、接触メモリを有し、その接触メモリには、認証情報記録部１２およびステートメント記録部１４が実装されている。なお、接触メモリはＡＴＭ２０に接触させられる。なお、ＩＣはIntegrated Circuitの略である。
【００１７】
認証情報記録部１２は、利用者のＩＤおよびパスワードが記録されている。利用者のＩＤは、利用者を識別するための情報である。利用者のパスワードは、暗証番号のようなものである。利用者のＩＤおよびパスワードは、口座管理システム４０において認証を行うための情報であり、認証情報という。なお、認証情報記録部１２への利用者のパスワードの記録を省略することも可能である。
【００１８】
ステートメント記録部（第一取引情報記録手段）１４は、利用者の口座における取引の履歴を記録する。ステートメント記録部１４の記録内容の一例を図３に示す。図３に示すように、ステートメント記録部１４には、取引日、お支払い金額（金融機関から利用者へ）、お預かり金額（利用者から金融機関へ）、残高、摘要（取引の種類等を示す）が記録されている。なお、最終取引情報１４ａは、ステートメント記録部１４に記録された最後の取引情報である。
【００１９】
ＡＴＭ２０は、ＩＣカード読取部２１、タッチパネル２２、入力受理部２３、送信部２４、受信部２５、ＩＣカード書込部２６、表示画面生成部２７、ディスプレイ２８を有する。なお、本実施形態ではＡＴＭ２０を使用するようにしているが、パーソナルコンピュータをかわりに使用してもよい。
【００２０】
ＩＣカード読取部２１は、ＩＣカード１０の接触メモリが接触する部分である。ＩＣカード読取部２１は、認証情報記録部１２から認証情報を読み取り、送信部２４に出力する。また、口座管理システム４０における認証が成立した場合、ステートメント記録部１４から最終取引情報１４ａを読み取り、送信部２４に出力する。なお、タッチパネル２２から利用者によって入力されるパスワードと、認証情報記録部１２に記録されたパスワードとを対比して、認証を行う（認証情報記録部１２へのパスワードの記録を省略した場合は行なわない）。一致すれば認証が成立し、不一致ならば認証が不成立である。認証の成否は入力受理部２３または受信部２５に送られる。
【００２１】
タッチパネル２２は、利用者が口座に関する取引を行うために、取引に必要なデータ（例えば、出金額など）を入力するためのものである。なお、タッチパネル２２により利用者がパスワードを入力する。なお、タッチパネル２２のかわりに周知のテンキー、キーボードなどを使用するようにしてもよい。
【００２２】
入力受理部２３は、タッチパネル２２からの入力を受け、送信に適するように形式を整えてから、送信部２４に出力する。ただし、パスワードについては、ＩＣカード読取部２１にも出力する。ただし、認証不成立の旨の情報を口座管理システム４０あるいはＩＣカード読取部２１から受けた場合は、タッチパネル２２からの入力（取引に必要なデータ）を送信部２４に出力しない。
【００２３】
送信部２４は、ＩＣカード読取部２１および入力受理部２３からデータを受け、基幹ネットワーク３０を介して、口座管理システム４０に送信する。
【００２４】
受信部２５は、口座管理システム４０の送信部４９およびＩＣカード読取部２１から、認証の成否および利用者の口座における取引情報を受信する。
【００２５】
ＩＣカード書込部２６は、受信部２５から利用者の口座における取引情報を受け、ステートメント記録部１４に記録する。
【００２６】
表示画面生成部２７は、認証の成否および利用者の口座における取引情報を受信部２５から受けて、表示画面を生成する。表示画面は、認証の成否および取引情報を利用者に見せるための画面である。
【００２７】
ディスプレイ２８は、表示画面生成部２７が生成した表示画面を表示する。
【００２８】
基幹ネットワーク３０は、ＡＴＭ２０と口座管理システム４０とを接続するネットワークである。なお、本実施形態におけるＡＴＭ２０のかわりにパーソナルコンピュータを使用した場合は、基幹ネットワーク３０にかえてインターネットを使用する。
【００２９】
口座管理システム４０は、受信部４２、認証情報記録部４４、認証部４６、取引書込部（取引情報更新手段）４７、総勘定元帳記録部（第二取引情報記録部）４８、送信部４９を有する。
【００３０】
受信部４２は、送信部２４から送られてきた認証情報、最終取引情報１４ａおよび取引に必要なデータを受信する。
【００３１】
認証情報記録部４４は、口座の利用者ごとにＩＤとパスワードとを記録する。認証情報記録部４４の記録内容の一例を図４に示す。例えば、ある利用者のＩＤは“Ａ１１０”であり、パスワードは“０１２３”である。なお、ＡＴＭ２０による認証のみで認証をすますことも考えられ、このような場合は認証情報記録部４４の記録内容を利用しないことも考えられる。
【００３２】
認証部４６は、受信部４２から認証情報を受け、認証情報記録部４４と照合する。すなわち、認証情報記録部１２に記録されている利用者のＩＤおよびタッチパネル２２により利用者が入力したパスワードが、認証情報記録部４４にも記録されているか否かを判定する。認証情報記録部１２に記録されている利用者のＩＤおよびタッチパネル２２により利用者が入力したパスワードが、認証情報記録部４４にも記録されていれば、認証は成立する。すなわち、正当な利用者から口座管理システム４０にアクセスしているものと判断する。一方、認証情報記録部１２に記録されている利用者のＩＤおよびタッチパネル２２により利用者が入力したパスワードが、認証情報記録部４４には記録されていなければ、認証は不成立となる。すなわち、正当な利用者から口座管理システム４０にアクセスしていないものと判断する。認証部４６による認証の成否は送信部４９に送られる。ただし、ＡＴＭ２０による認証のみで認証をすます場合は、認証部４６を利用しないことも考えられる。
【００３３】
取引書込部（取引情報更新手段）４７は、受信部４２から取引に必要なデータを受け、総勘定元帳記録部４８に書き込む。
【００３４】
総勘定元帳記録部（第二取引情報記録部）４８は、口座ごとに取引の履歴を記録する。総勘定元帳記録部４８の記録内容を図５に示す。最終取引情報１４ａに対応する部分４８ａの後に、取引書込部４７により書き込まれた新規部分４８ｂが付加されている。
【００３５】
送信部４９は、認証部４６による認証の成否を受け、ＡＴＭ２０へ、基幹ネットワーク３０を介して送信する。さらに、送信部４９は、受信部４２から最終取引情報１４ａを受け、総勘定元帳記録部４８から、それと同一の内容の部分４８ａを検索する。そして、部分４８ａの後に付加されている新規部分４８ｂを読み出して、送信する。
【００３６】
新規部分４８ｂはＡＴＭ２０の受信部２５により受信され、ＩＣカード書込部２６に出力される。ＩＣカード書込部２６は、受信部２５から利用者の口座における取引情報である新規部分４８ｂを受け、ステートメント記録部１４に記録する。新規部分４８ｂは新規部分１４ｂとして、図６に示すように、最終取引情報１４ａの後に記録される。このように、新規部分１４ｂを記録し続けていくと、いずれ新規部分１４ｂを書き込めなくなる。ステートメント記録部１４の記録容量は有限だからである。そこで、ステートメント記録部１４の記憶容量全部に取引情報を書き込んでしまったならば、新規部分１４ｂに相当する行数の取引情報を古い順に削除する。例えば、新規部分１４ｂを一行書き込む場合は、最も古い取引履歴を一行削除してから書き込む。
【００３７】
次に、本発明の実施形態の動作を図７のフローチャートを参照して説明する。
【００３８】
まず、ＩＣカード１０をＡＴＭ２０に接触させる。これにより、口座管理システム４０およびＡＴＭ２０のＩＣカード読取部２１に対し、認証の要求がなされる（Ｓ１０）。すなわち、ＩＣカード１０の認証情報記録部１２から認証情報（利用者のＩＤおよびパスワード）がＩＣカード読取部２１により読み取られる。そして、タッチパネル２２により利用者が入力したパスワードと共に、利用者のＩＤが送信部２４により、基幹ネットワーク３０を介して、口座管理システム４０に送られる。利用者のＩＤおよび入力されたパスワードは受信部４２を介して認証部４６に送られる。さらに、ＩＣカード読取部２１には、タッチパネル２２により利用者が入力したパスワードが入力受理部２３を介して送られる。
【００３９】
次に、認証部４６およびＡＴＭ２０のＩＣカード読取部２１により認証が成立するか否かが判定される（Ｓ１２）。すなわち、ＩＣカード読取部２１が、タッチパネル２２により利用者が入力したパスワードと、認証情報記録部１２から読み取ったパスワードとが一致するか否かを判定する（認証情報記録部１２へのパスワードの記録を省略した場合は行なわない）。さらに、認証部４６が、認証情報記録部１２に記録されている利用者のＩＤおよびタッチパネル２２により利用者が入力したパスワードが、認証情報記録部４４に記録されたものと一致するか否か照合する。一致しなければ（Ｓ１２、Ｎｏ）、認証が成立しない旨の情報（認証不成立）を送信部４９に送る。送信部４９は、基幹ネットワーク３０を介して、ＡＴＭ２０に認証不成立の情報を送る。認証不成立の情報は、入力受理部２３が受け（ＩＣカード読取部２１からも認証不成立の情報を受ける）、タッチパネル２２からの取引に必要なデータの入力を拒否する（Ｓ３０）。さらに、受信部２５も認証不成立の情報を受け、表示画面生成部２７に送る。表示画面生成部２７は、例えば、「お取引できません」などのエラーメッセージをディスプレイ２８に表示させる（Ｓ３２）。そして、処理を終了する。
【００４０】
認証情報が、認証情報記録部４４に記録されたものと一致するならば（Ｓ１２、Ｙｅｓ）、認証が成立した旨の情報（認証成立）を送信部４９に送る。送信部４９は、基幹ネットワーク３０を介して、ＡＴＭ２０に認証成立の情報を送る。認証成立の情報は、受信部２５が受け（ＩＣカード読取部２１からも認証成立の情報を受ける）、表示画面生成部２７に送る。表示画面生成部２７は、例えば、「お取引可能です」などの取引の要求の入力を促すメッセージをディスプレイ２８に表示させる。利用者はこの表示画面を見て、タッチパネル２２により取引に必要なデータの入力（取引の要求の入力）を行う（Ｓ１４）。
【００４１】
ＩＣカード読取部２１により、ステートメント記録部１４から最終取引情報１４ａが読み取られる。最終取引情報１４ａは、送信部２４、基幹ネットワーク３０を介して受信部４２に送られる。最終取引情報１４ａは、受信部４２から送信部４９に送られる。
【００４２】
取引に必要なデータは、入力受理部２３が形式を整えてから、送信部２４により、基幹ネットワーク３０を介して、口座管理システム４０に送信する。取引に必要なデータは、口座管理システム４０の受信部４２が受信し、取引書込部４７が受ける。取引書込部４７は、取引に必要なデータ（新規部分４８ｂに対応）を、総勘定元帳記録部４８に書き込む（Ｓ１６）。
【００４３】
そして、取引の要求が終わらなければ（Ｓ１８、Ｎｏ）、取引の要求の入力（Ｓ１４）および新規部分４８ｂの書込（Ｓ１６）を繰り返す。
【００４４】
取引の要求が終われば（Ｓ１８、Ｙｅｓ）、送信部４９は総勘定元帳記録部４８から、最終取引情報１４ａと同一の内容の部分４８ａを検索する。そして、部分４８ａの後に付加されている新規部分４８ｂを読み出して送信する（Ｓ２０）。
【００４５】
新規部分４８ｂはＡＴＭ２０の受信部２５により受信される。そして、表示画面生成部２７に送られ、ディスプレイ２８により表示される。しかも、新規部分４８ｂは、受信部２５からＩＣカード書込部２６に出力される。ＩＣカード書込部２６は、受信部２５から利用者の口座における取引情報である新規部分４８ｂを受け、ステートメント記録部１４に記録する。新規部分４８ｂは新規部分１４ｂとして、最終取引情報１４ａの後に記録される（Ｓ２２）。そして、処理を終了する。
【００４６】
本発明の実施形態によれば、ＩＣカード１０には、認証情報記録部１２およびステートメント記録部１４が共に実装されているため、ＩＣカード１０を携帯すれば、口座管理システム４０およびＡＴＭ２０による認証のみならずＩＣカード１０への取引情報の記録をも行うことができる。
【００４７】
しかも、認証が成立すると、口座管理システム４０における取引書込部４７による取引情報の更新（Ｓ１６）、すなわち取引そのものを行うことができる。よって、取引を行えば、ＩＣカード１０に取引情報の記録（Ｓ２２）を行うことができる。
【００４８】
さらに、ＩＣ（Integrated Circuit）は磁気テープ等に比べて記憶容量が大きいため、認証情報記録部１２およびステートメント記録部１４が、より多くの情報を記録できる。
【００４９】
なお、ＡＴＭ２０にＩＣカード１０を接触させ、ＩＣカード読取部２１がステートメント記録部１４から取引履歴を読み出し、ディスプレイ２８に表示するようにしてもよい。この場合は、認証はＡＴＭ２０による認証のみとなる。また、ＩＣカード読み取り機構をディスプレイを有する家電製品（例えば、テレビ、携帯電話など）に設け、ＩＣカード１０のステートメント記録部１４からその家電製品が取引履歴を読み出して、表示するようにしてもよい。
【００５０】
また、ＩＣカード１０が有する接触メモリを非接触メモリに置き換えてもよい。これにより、ＡＴＭ２０にＩＣカード１０を近接させれば、接触させなくても、ＡＴＭ２０がＩＣカード１０から情報を読み出し、かつＡＴＭ２０がＩＣカード１０に情報を書き込むことができる。
【図面の簡単な説明】
【００５１】
【図１】本発明の実施の形態にかかるＩＣカード（取引情報取得器）１０を使用するシステムの概略を示した図である。
【００５２】
【図２】本発明の実施の形態にかかるＩＣカード（取引情報取得器）１０を使用するシステムの構成を示す機能ブロック図である。
【００５３】
【図３】ステートメント記録部１４の記録内容の一例を示す図である。
【００５４】
【図４】認証情報記録部４４の記録内容の一例を示す図である。
【００５５】
【図５】総勘定元帳記録部４８の記録内容を示す図である。
【００５６】
【図６】新規部分１４ｂの追加書き込みの例を示す図である。
【００５７】
【図７】本発明の実施形態の動作を示すフローチャートである。
【符号の説明】
【００５８】
１０  ＩＣカード
１２  認証情報記録部
１４  ステートメント記録部（第一取引情報記録手段）
２０  ＡＴＭ
３０  基幹ネットワーク
４０  口座管理システム
４２  受信部
４４  認証情報記録部
４６  認証部
４７  取引書込部（取引情報更新手段）
４８  総勘定元帳記録部（第二取引情報記録部）
４９  送信部
【図１】
2004220563.tif 000003
【図２】
2004220563.tif 000004
【図３】
2004220563.tif 000005
【図４】
2004220563.tif 000006
【図５】
2004220563.tif 000007
【図６】
2004220563.tif 000008
【図７】
2004220563.tif 000009